(57)【要約】【課題】自爪にフィットするとともに、取外して再使用が可能なネイルチップを手軽に形成する。【解決手段】変形可能なシート状に形成されており、自爪４に貼付け可能な大きさを有する貼付け部１ａを備え、貼付け部１ａの表面を剥離面に形成し、当該表面に形成したネイルチップ８を剥離可能に構成してある。【選択図】図７
2012029706.tif 000002
【特許請求の範囲】
【請求項１】
変形可能なシート状に形成されており自爪に貼付け可能な大きさを有する貼付け部を備えるとともに、その表面を剥離面に形成しており、当該表面に塗布硬化させて形成したネイルチップが剥離可能である、
ことを特徴とするネイルフォーム。
【請求項２】
前記剥離面に連続する剥離面を有して前記貼付け部の先端より突出して前記ネイルチップの先端を支持する延長部をさらに備え、当該延長部は、前記貼付け部より機械的強度が高い、
請求項１に記載のネイルフォーム。
【請求項３】
変形可能なシート状に形成されており自爪に貼付け可能な大きさを有する貼付け部を備えるとともに、その表面が剥離面に形成されたネイルフォームを用意したうえで、当該ネイルフォームの裏面を前記自爪に貼付け、貼付けた前記ネイルフォームの表面に、所望するネイル形状でネイルチップを形成し、ネイルチップ形成後に前記ネイルチップを前記表面から剥離する、
ことを特徴とする付け爪形成方法。
【請求項４】
前記ネイルフォームとして、前記貼付け部より機械的強度が高くかつ前記剥離面に連続する剥離面を有して前記貼付け部の先端より突出して前記ネイルチップの先端を支持する延長部をさらに備えたものを用意したうえで、用意した前記ネイルフォームを前記自爪より前記延長部を延出させて貼付け、両剥離面に前記ネイルチップを形成する、
請求項３に記載の付け爪形成方法。
【請求項５】
第１の剥離層と前記第１の剥離層上に設けられる柔軟層と前記柔軟層上に設けられる第２の剥離層とを有する剥離層を、前記第１の剥離層が自爪に接する向きで前記自爪に形成したうえで、剥離面を有するシート状のネイルフォームを、フォーム一端が前記自爪爪先に当接しフォーム他端が前記自爪より延出しかつ前記剥離面が前記自爪表面と一致する向きで前記自爪に貼付け、ネイルフォーム貼付け後に、前記剥離層と前記剥離面とに亘ってネイルチップを所望のネイル形状で形成し、形成した前記ネイルチップを、前記剥離層と前記剥離面とから剥離する、
ことを特徴とするネイルチップ形成方法。
【発明の詳細な説明】
【技術分野】
【０００１】
本発明は、ネイルフォームとこれを用いてネイルチップを形成する方法に関する。
【背景技術】
【０００２】
自爪にフィットしたネイルチップを得る手段としては、特許文献１に示されるように、爪を含む指先部位の精密印象を採得し、得られた精密印象から指先の石膏模型を形成し、この石膏模型を用いて樹脂製のネイルチップを成形する手段が知られている。また、ネイルフォームと称されるシート状の台紙を、自爪が露出する状態で指先に装着し、自爪とネイルフォームの表面に亘って液状のネイル素材を塗布して硬化させることで所望の形状のネイルチップを形成する手段も広く実施されている。
【先行技術文献】
【特許文献】
【０００３】
【特許文献１】特公平７−７３５３２号公報
【発明の概要】
【発明が解決しようとする課題】
【０００４】
しかし、石膏模型を用いる前者の手段は、指先部位の精密印象を採得する工程、精密印象から指先の石膏模型を形成する工程、石膏模型を用いて樹脂製のネイルチップを成形する工程を必要とするので、手数および時間がかかるのみならず、ネイルチップを成形するネイル素材の他に印象採得用材および石膏材などの多くの補助材が必要で、材料費が高くつくものであった。
【０００５】
また、ネイルフォームを用いる後者の手段は、補助材としてネイルフォームを用いるだけであるので、安価に所望のネイルチップを得ることができる利点があるが、その反面、自爪にネイル素材を直接塗布し硬化させてネイルチップを形成するので、できあがったネイルチップを取り除くには専用の溶剤を用いて溶解除去する、もしくは削り取ってしまわなければならず、ネイルチップを取り外して再使用することができないものであった。
【０００６】
本発明は、このような点に着目してなされたものであって、自爪にフィットするとともに、取外して再使用が可能なネイルチップを手軽かつ短時間に形成することができるネイルフォームと、これを用いたネイルチップ成方法を提供することを目的としている。
【課題を解決するための手段】
【０００７】
上記目的を達成するために、本発明では次のように構成している。
【０００８】
（１）本発明に係るネイルフォームは、
変形可能なシート状に形成されており自爪に貼付け可能な大きさを有する貼付け部を備えるとともに、その表面を剥離面に形成しており、当該表面に塗布硬化させて形成したネイルチップが剥離可能である。
【０００９】
この構成によると、自爪の表面に貼付けられた薄いネイルフォームの貼付け部は、自爪表面に追随した形状となる。そのため、ネイルフォーム上で形成したうえで剥離させて取外したネイルチップを自爪に載置接着すると、そのネイルチップは自爪の表面とネイルチップの裏面とが合致したフィット性の優れたものとなる。
【００１０】
また、ネイルチップはネイルフォーム上で形成されて取外され、自爪に適当な接着手段で貼付け装着することになるので、自爪に装着した後でも、ネイルチップを損傷することなく自爪から取外すことが容易であり、再度の装着使用が可能となる。
【００１１】
（２）本発明の好ましい実施態様では、前記剥離面に連続する剥離面を有して前記貼付け部の先端より突出して前記ネイルチップの先端を支持する延長部をさらに備え、当該延長部は、前記貼付け部より機械的強度が高い。なお、ここでいう機械的強度とは引っ張り強さのことである。この構成によると、自爪に貼付けられる貼付け部と延長部に亘ってネイル素材を塗布することで、任意の爪先長さを有するネイルチップを自在に形成することができる。
【００１２】
本発明のネイルフォームは、前記延長部の先端側の左右両側に、指腹側に向けて湾曲して互いに接合連結可能な一対の接合片を備えるのが好ましい。この構成によると、接合片を接合することで、ネイルフォームの延長部を指腹側に湾曲させた状態に維持しておくことができ、この湾曲した延長部を土台にしてネイルチップを形成することで、自爪の爪先から突出するネイルチップ爪先部分を好みの湾曲形状に形成することができる。
【００１３】
本発明のネイルフォームは、前記延長部の表面にネイルチップ形成用のガイド線を形成してあるのが好ましい。この構成によると、自爪の爪先から突出するネイルチップ爪先部分を塗布形成する際に、その塗布形状を決める目安としてガイドラインを利用することができ、好みの爪先形状を簡単容易に得ることができる。
【００１４】
本発明のネイルフォームは、裏面を粘着面とするのが好ましい。この構成によると、粘着面を有するためにネイルフォームを自爪に貼着しやすくなる。粘着面には剥離紙が添設されているのがさらに好ましく、そうすれば、剥離紙を剥離除去して粘着面を露出させることで、ネイルフォームを簡単に自爪に貼付け保持してネイル素材の塗布を行うことができるとともに、形成したネイルチップをネイルフォームから取外した後にも、指先に残ったネイルフォームも簡単迅速に取り除くことができ、ネイルチップ形成処理を短時間で行うことができる。
【００１５】
（３）本発明に係るネイルチップ形成方法は、
変形可能なシート状に形成されており自爪に貼付け可能な大きさを有する貼付け部を備えるとともに、その表面が剥離面に形成されたネイルフォームを用意したうえで、当該ネイルフォームの裏面を前記自爪に貼付け、貼付けた前記ネイルフォームの表面に、所望するネイル形状でネイルチップを形成し、形成後に前記ネイルチップを前記表面から剥離する。
【００１６】
この構成によると、自爪の表面に貼付けられた薄いネイルフォームの貼付け部は、自爪表面に追随した形状となる。そのため、ネイルフォーム上で形成したうえで剥離させて取外したネイルチップを自爪に載置接着すると、そのネイルチップは自爪の表面とネイルチップの裏面とが合致したフィット性の優れたものとなる。
【００１７】
（４）本発明の好ましい実施態様では、
前記ネイルフォームとして、前記貼付け部より機械的強度が高くかつ前記剥離面に連続する剥離面を有して前記貼付け部の先端より突出して前記ネイルチップの先端を支持する延長部をさらに備えたものを用意したうえで、用意した前記ネイルフォームを前記自爪より前記延長部を延出させて貼付け、両剥離面に前記ネイルチップを形成するのが好ましい。
【００１８】
この構成によると、両剥離面とに前記ネイルチップを形成することで、任意の爪先長さのネイルチップを自由に形成することができる。
【００１９】
（５）本発明に係るネイルチップ形成方法は、
第１の剥離層と前記第１の剥離層上に設けられる柔軟層と前記柔軟層上に設けられる第２の剥離層とを有する剥離層を、前記第１の剥離層が自爪に接する向きで前記自爪に形成したうえで、剥離面を有するシート状のネイルフォームを、フォーム一端が前記自爪爪先に当接しフォーム他端が前記自爪より延出しかつ前記剥離面が前記自爪表面と一致する向きで前記自爪に貼付け、ネイルフォーム貼付け後に、前記剥離層と前記剥離面とに亘ってネイルチップを所望のネイル形状で形成し、形成した前記ネイルチップを、前記剥離層と前記剥離面とから剥離する。
【００２０】
この構成によると、自爪の表面に形成された剥離層は自爪表面に追随した形状となる。従って、剥離層とネイルフォーム（その一端が自爪爪先表面に当接しかつその他端が自爪より延出するように、自爪に貼付けられている）とに亘って形成したネイルチップを剥離層とネイルフォームとから剥離したうえで、再度そのネイルチップを自爪に載置接着すると、自爪の表面とネイルチップの裏面とが合致し、フィット性の優れたものとなる。
【００２１】
また、ネイルチップはネイルフォーム上で形成されて取外され、自爪に適当な接着手段で貼付け装着することになるので、自爪に装着した後でも、ネイルチップを損傷することなく自爪から取外すことが容易であり、再度の装着使用が可能となる。
【００２２】
また、自爪に剥離層を形成する際において、柔軟層が吸収材となって、自爪の表面形状における種々の変形（縦スジ等）を確実に吸収するので、剥離層上に形成するネイルチップに、上記自爪の変形が転写されることがほとんどなくなる。
【発明の効果】
【００２３】
このように、本発明によれば、自爪にフィットするとともに、取外して再使用が可能なネイルチップを手軽かつ短時間に形成することができる。
【図面の簡単な説明】
【００２４】
【図１】ネイルフォームを展開した平面図である。
【図２】表側から見たネイルフォームの斜視図である。
【図３】裏側から見たネイルフォームの斜視図である。
【図４】ネイルチップ形成過程を示す斜視図である。
【図５】ネイルチップ形成過程を示す斜視図である。
【図６】ネイルチップ形成過程を示す斜視図である。
【図７】ネイルチップ形成過程を示す斜視図である。
【図８】ネイルフォーム上のネイルチップを示す縦断側面図である。
【図９】ネイルチップの装着状態を示す斜視図である。
【図１０】他のネイルフォームを用いたネイルチップ形成過程を示す斜視図である。
【図１１】他のネイルフォームを用いたネイルチップ形成過程を示す斜視図である。
【図１２】他のネイルフォームを用いたネイルチップ形成過程を示す斜視図である。
【図１３】ネイルフォーム上のネイルチップを示す縦断側面図である。
【図１４】ネイルチップの装着状態を示す斜視図である。
【発明を実施するための形態】
【００２５】
以下、本発明の実施例を図面に基づいて説明する。
【００２６】
図１〜図８に、本発明の実施例の一例が示されている。この例に係るネイルフォーム１は、自爪形状に追随して変形可能な薄いシート状のベースシート２から構成されている。ベースシート２自体は、後述するネイル素材に対する剥離性を備えた樹脂シート、あるいは、一方の面（表面）に剥離層をラミネートした紙材などで形成されており、これによりネイルフォーム１（ベースシート２）の表面は、塗布硬化されたネイル素材が比較的容易に剥離できる第１の剥離面となっている。ネイルフォーム１の他方の面（ベースシート２の裏面であって第１の剥離面の対向面）は自爪接着面であって、この自爪接着面には粘着面２ａが形成されている。粘着面２ａには剥離紙３が添設されている。
【００２７】
ネイルフォーム１は、自爪４の表面に貼付けられる貼付け部１ａと、貼付け部１ａから連続して設けられて貼付け部１ａの先端（自爪４の先端位置とほぼ一致する）より突出する延長部１ｂとを備える。貼付け部１ａは、自爪表面に追随して変形可能な薄いシート形状を有しており、自爪４を覆い隠すに足る左右幅および前後長さを備えている。延長部１ｂは、貼付け部１ａより機械的強度（引っ張り強さ）が高くなっている。具体的には、延長部１ｂは、塗布硬化中のネイルチップの形状を維持可能な機械的強度を有している。延長部１ｂは、貼付け部１ａと略同じ左右幅を備えている。延長部１ｂの先端側には左右一対の接合片１ｃが突出形成されている。接合片１ｃは指腹側に向けて湾曲して互いに接合連結可能な形状を有する。延長部１ｂは、貼付け部１ａの先端より突出してネイルチップ８の先端を支持しかつ第１の剥離面に連続する第２の剥離面を有する。また、延長部１ｂの表面（第２の剥離面の対向面）には、ネイルチップ形成時の位置決めやネイル形状の目安となるガイド線５が付記されている。
【００２８】
貼付け部１ａと延長部１ｂとは、上述したように、互いに背反する物理特性（変形性/機械的強度）を備えている。ネイルフォーム１（ベースシート２）として一体となった貼付け部１ａと延長部１ｂとにおいて、両者にこのような物理特性を付与するためには、例えば、物理的特性の異なる別体の貼付け部１ａと延長部１ｂとを融着して一体化すればよい。また、同一の材料からなる一体物のベースシート２の厚みを部分的に相違させて貼付け部１ａと延長部１ｂとを形成してもよい（貼付け部１ａの厚みを薄くし延長部１ｂの厚みを厚くする）。
【００２９】
本発明のネイルフォーム１は以上のように構成されており、次に、このネイルフォーム１を用いてネイルチップを形成する工程を説明する。
【００３０】
（１）先ず、自爪４を含む指先を洗浄乾燥した後、自爪４における甘皮の処理を行う。
【００３１】
（２）次に、図４，図５に示すように、剥離紙３を除去して裏側の粘着面（自爪接着面）２ａを露出させたネイルフォーム１の貼付け部１ａを、自爪接着面が自爪４の表面に当接して自爪４が完全に貼付け部１ａによって覆い隠されるように指先に貼付ける。貼付けられたネイルフォーム１において第１、第２の剥離面は自爪４表面と一致する向きとなる。このとき、ガイド線５の中心線が自爪４の左右中心において、指先方向に沿うようにネイルフォーム１は位置決めされる。また、貼付け部１ａの自爪４からはみ出た部分は指先に貼付けることでネイルフォーム１を一定の姿勢に安定保持する。延長部１ｂは貼付け部１ａの先端（自爪４先端）より突出する。
【００３２】
この場合、爪楊枝の先端などを用いて、自爪４の外形線をなぞって貼付け部１ａを自爪表面に密着させることで、自爪４の表面全体に貼付け部１ａを密着させる。これにより、自爪４の形状を貼付け部１ｂに正しく写し取ることができる。この作業は、貼付け部１ａが自爪表面に追随して変形可能な薄いシート形状を有しているので容易に行うことができる。
【００３３】
次にネイルフォーム１の延長部１ｂを指腹側に湾曲させ、その先端側に備えた接合片１ｃ同士を接合連結することで、延長部１ｂの湾曲形状を保持する。ここで、接合片１ｃの接合具合を加減することで、延長部の湾曲形状を任意に調整することができる。
【００３４】
（３）次に、図６，図７に示すように、筆などの塗布用具６を用いてアクリル樹脂液あるいはジェルなどの液状のネイル素材７をネイルフォーム１の第１の剥離面に所望のネイル形状に繰り返し塗り重ねる。この場合、貼付け部１ａにおいては自爪４の外形に沿った形状、あるいは、それより若干大きい目にネイル素材７を塗布する。また、自爪４より爪先が大きく突出するネイルチップを形成する場合には、引き続き延長部１ｂの第２の剥離面にまで連続的にネイル素材７を塗り重ねる。この際、ガイド線５がチップ形状や爪先突出長さを決める目安となる。また、塗布する回数を加減することで、ネイル厚さを任意に調整することができる。
【００３５】
また、前述したように、貼付け部１ａが自爪表面に追随して変形可能な薄いシート形状を有しているので、貼付け部１ａが物理的変形の吸収材となって、自爪４の表面形状における種々の変形（縦スジ等）を吸収する。そのため、貼付け部１ａ上に形成するネイルチップ８に、自爪４の変形が転写されることはない。
【００３６】
なお、アクリル樹脂液は、アクリル樹脂粉末を溶剤で溶かし込んで構成され、ジェルは、ポリウレタンアクリレートオリゴマー、ＨＥＭＡ（ヒドロキシエチルメタクリレート）、メタクリル酸ヒドロキシプロピル、メタクリル酸イソボルニル、ヒドロキシクロヘキシルフェニルケトン、などを主成分として構成される。ジェルは、粘度の違いによりソフトジェル、あるいは、ハードジェルと呼称される。
【００３７】
（６）塗布したネイル素材７が硬化すると、必要に応じてネイル表面に所望の装飾を施し、完成したネイルチップ８をネイルフォーム１の表面（第１、第２の剥離面）から剥離して取外すとともに、残されたネイルフォーム１を指先から取り除く。なお、ネイル表面に所望の装飾を施すのは、ネイルチップ８をネイルフォーム１の表面から取外した後に行ってもよい。
【００３８】
（７）以上のようにして形成されたネイルチップ８は、研削などによってその外形形状を最終的に整えた後、図９に示すように、自爪４の表面に接着剤の塗布や両面テープの貼付けを行うことによって形成した接着層９を用いて貼付け装着する。なお、図９では、接着層９を自爪４側に設けたが、接着層９をネイルチップ８側に設けてもよいのはいうまでもない。また、適当な溶剤を用いて接着層９を溶解することで、装着したネイルチップ８を自爪４から取り外し、必要時に再度貼付け使用する。
【００３９】
上記実施例においては、貼付け部１ａの自爪接着面（他方の面）全体を剥離紙３付きの粘着面２ａにして、貼付け部１ａを自爪４の表面全体に貼付けるようにしているが、別途用意した接着剤や両面接着テープなどを用いて貼付け部１ａを自爪４の表面に貼付けるようして実施することもできる。
【００４０】
図１０〜図１４に、本発明の第２例が示されている。ここで用いられるネイルフォーム１は、上記第１例と同様に薄いシート状のベースシート２からなっており、適度の厚さとすることで塗布硬化中のネイルチップの形状を維持可能な物理的強度を有している。ベースシート２は、ネイル素材に対する剥離性を備えた樹脂シート、あるいは、表面に剥離層をラミネートした紙材などから形成されており、ネイルフォーム１の表面は、塗布硬化されたネイル素材が比較的容易に剥離できる剥離面となっている。ベースシート２の裏面は、図示されていない剥離紙を添設した粘着面２ａとなっている。
【００４１】
このネイルフォーム１は、以下のように使用されてネイルチップが形成される。
【００４２】
（１）先ず、指先を洗浄乾燥した後、甘皮の処理を行う。
【００４３】
（２）次に、自爪４の表面に剥離層１０を形成する。この剥離層１０は、図１３中に示されているように第１の剥離層１０ａと柔軟層１０ｂと第２の剥離層１０ｃとを備えた３層構造を有する。第１の剥離層１０ａは、自爪４の表面に塗布形成する。柔軟層１０ｂは、第１の剥離層１０ａの上に紫外線硬化樹脂を主成分とするソフトジェルを塗布して紫外線照射により硬化させて形成する。第２の剥離層１０ｃは硬化した柔軟層１０ｂの上に塗布形成する。第１の剥離層１０ａは、自爪４と剥離層１０とを分離させるために設けられる。柔軟層１０ｂは、ネイルチップ形成時において、自爪４の表面の種々の変形（縦スジ等）を吸収するために設けられる。これによりネイルチップ８には、自爪４の変形が転写されることがなくなる。第２の剥離層１０ｃは、ネイルチップ８と剥離層１０とを分離させるために設けられる。なお、第１、第２の剥離層１０ａ、１０ｃは、例えば、エタノール、水、ポリビニルアルコール、プログレス、などを主成分としている。
【００４４】
（３）次に、剥離紙３を除去して粘着面２ａを露出させたネイルフォーム１を自爪４の爪先から２〜３ｍｍ入り込むように自爪４の表面にしっかりとネイルフォーム１に貼付ける。この際、ネイルフォーム１の一端が自爪４の爪先に当接し他端が自爪４より延出しかつ第１の剥離層１０ａが自爪４に接する向き（第２の剥離層１０ｃの表面（剥離面）が自爪４の表面と一致する向き）でネイルフォーム１を自爪１に貼付ける。貼付けたネイルフォーム１を自爪４の左右幅および爪先形状に合わせた形状に切り整える。そのうえで、図１０に示すように、ネイルフォーム１を指腹側に湾曲し、左右両端部を接合連結して、その湾曲状態を保持する。
【００４５】
（４）次に、図１２，図１３に示すように、アクリル樹脂パウダとリキッド（溶剤）を混合してなる液状のネイル素材（ミクスチュア）７を、自爪４上の剥離層１０およびネイルフォーム１の上に所望の形状および厚さに塗り重ねる。
【００４６】
（５）塗布したネイル素材７が乾燥硬化すると、その上に紫外線硬化樹脂を主成分とするハードジェル１１を塗布し、さらに塗布したハードジェル１１を、紫外線照射により硬化させてネイルチップ８を形成する。
【００４７】
（６）形成されたネイルチップ８を自爪４およびネイルフォーム１から剥離層１０とともに剥離して取外し、取外したネイルチップ８の裏面に残存する剥離層１０を剥離除去する。
【００４８】
（７）その後、ネイルチップ８の裏面に仕上げ用のハードジェル１２を薄く塗布して紫外線照射によって硬化させる。なお、必要に応じ、ハードジェル１２の塗布処理前に、そのネイルチップ８の装着指を識別するためのマークなどを付記しておく。
【００４９】
（８）以上のようにして形成されたネイルチップ８は、その外形を研削して整え、図１４に示すように、対応する自爪４の表面に、接着剤の塗布や両面テープの貼付けによって形成した接着層９を用いて貼付け装着する。また、適当な溶剤を用いて接着層９を溶解することで、装着したネイルチップ８を自爪４から取り外し、必要時に再度貼付け使用する。
【００５０】
剥離層１０としては、上述したように自爪４の表面に塗り重ねて形成する他に、例えば、裏面を剥離紙付きの粘着面に形成するとともに、表面を剥離面に形成した極薄い剥離用シートを予め製作しておき、これを自爪４の形状に切り取り、剥離紙を除去して自爪表面の全体に貼付けることで剥離層１０を形成することも可能である。
【００５１】
上述した本発明の第１、第２例では、ベースシート２の材料として、ネイル素材に対する剥離性を備えた樹脂シートが好適であると述べた。このような特徴を備えた樹脂シートとしては、以下の熱可塑性樹脂と熱硬化性樹脂とを挙げることができる。熱可塑性樹脂には、ポリエチレン（PE)、ポリプロピレン（PP)、ポリスチレン（PS)、AS樹脂（AS)、ABS樹脂（ABS)、ポリ塩化ビニル（PVC)、ポリ塩化ビニリデン（PVDC)、ポリカーボネート（PC)、ポリエチレンテレフタレート（PET)、ポリアミド（PA)、ポリメタクリル酸メチル（PMMA)、ポリメチルペンテン（PMP)、ポリビニルアルコール（PVA)、エチレンビニルアルコール共重合樹脂（EVOH)、ポリブタジエン（BDR)、エチレン酢酸ビニル共重合樹脂（EVA)、アイオノマー、フッ素樹脂（FR）、ポリプロピレン樹脂(PP)がある。熱硬化性樹脂には、フェノール樹脂（PF)、ユリア樹脂（UF)、メラミン樹脂（MF)、エポキシ樹脂（EP)、不飽和ポリエステル（UP)、ポリウレタン（PUR)、シリコーン樹脂（Si)がある。
【００５２】
なお、これらの樹脂シートの素材の中で、ポリエチレン(PE)と、ポリエチレンテレフタレート(PET)と、ポリプロピレン樹脂(PP)とをベースシート２として好適に用いることができる。ポリエチレン(PE)が好適である理由としては、化学的安定性があること、水や薬品に対する高い耐性を有すること、高い防湿性を有すること、加工しやすさがあること、軽量であること、ネイルフォームの素材として汎用されていることが挙げられる。ポリエチレンテレフタレート樹脂(PET)が好適である理由としては、耐薬品性に優れていること、ネイルフォームの素材として汎用されていることが挙げられる。ポリプロピレン樹脂(PP)が好適である理由としては、機械的強度に優れていること、酸やアルカリに対する高い耐性を有すること、加工性が高く様々な加工に対応できること、既存のネイルフォームとして汎用されていることが挙げられる。
【符号の説明】
【００５３】
１              ネイルフォーム
１ａ            貼付け部
１ｂ            延長部
１ｃ            接合片
２ａ            粘着面
３              剥離紙
４              自爪
５              ガイド線
７              ネイル素材
８              ネイルチップ
１０            剥離層
１０ａ          第１の剥離層
１０ｂ          柔軟層
１０ｃ          第２の剥離層
【図１】
2012029706.tif 000003
【図２】
2012029706.tif 000004
【図３】
2012029706.tif 000005
【図４】
2012029706.tif 000006
【図５】
2012029706.tif 000007
【図６】
2012029706.tif 000008
【図７】
2012029706.tif 000009
【図８】
2012029706.tif 000010
【図９】
2012029706.tif 000011
【図１０】
2012029706.tif 000012
【図１１】
2012029706.tif 000013
【図１２】
2012029706.tif 000014
【図１３】
2012029706.tif 000015
【図１４】
2012029706.tif 000016